(57)【特許請求の範囲】
【請求項１】
表示用画像信号に対応し、かつ、複数のデータ電極とこれらの共通電極とを有する液晶表示部の当該データ電極の駆動電圧を設定するためのディジタルデータに対し、その中の特定のものに対するビット反転処理を行うビット反転処理部（31,32）と、
このビット反転処理後のデータに基づいて、前記各データ電極の駆動電圧の正負の極性およびレベルを特定する選択部（15-2,15-3,16-2,16-3）と、
前記ビット反転処理部におけるビット反転処理の動作または非動作を前記データ電極の片側駆動モードまたは両側駆動モードに応じて切り換えるための信号を、前記ビット反転処理部に入力する端子（MODE）とを有する、
ことを特徴とする液晶表示装置の駆動回路。
【請求項２】
表示用画像信号に対応し、かつ、複数のデータ電極とこれらの共通電極とを有する液晶表示部の当該データ電極の駆動電圧を設定するためのディジタルデータに対し、それの保持回路からなりその出力端子の選択によりビット反転処理を行うビット反転処理部（43-1,43-2, 43-3,43-4）と、
前記各データ電極の駆動電圧の正負の極性を選択するための第１のスイッチング手段（51,52）および前記ビット反転処理部の出力データに基づいて前記駆動電圧のレベルを選択するための第２のスイッチング手段（46-2,46-3）からなる、選択部とを有する、
ことを特徴とする液晶表示装置の駆動回路。
【発明の詳細な説明】
【０００１】
【産業上の利用分野】
本発明は、液晶表示装置の駆動回路に関し、特に複数のデータ電極とこれらの共通電極とを有する液晶表示部の当該データ電極に対し、表示用画像信号に対応した駆動電圧を、前記共通電極に対する正負の極性分布をもつようにデータドライバから送る、例えば奇数番目の縦ラインデータ電極と偶数番目の縦ラインデータ電極とで共通電極に対する正負の極性が反転するような関係で送るようにした液晶表示装置の駆動回路に関する。
【０００２】
一般に、液晶は入射光の反射・透過を制御する受光形素子であって、低駆動電圧で消費電力が少なく駆動回路が比較的簡単であり、さらには薄型で軽量であるなどの特長を持ち、時計、電卓、ポータブルカラーテレビやコンピュータ端末などの表示デバイスとして利用されている。
【０００３】
そして、これらコンピュータ端末などの小型・低電力化にともない、そこで用いられる液晶表示装置自体にも低電力化が要請されており、本発明はこのような要請に応えるものである。
【０００４】
【従来の技術】
従来の液晶表示装置においても、低電力化やフリッカ対策のため、各データ電極に加える駆動電圧の（共通電極に対する）極性を図７に示すような各種の態様で反転させて当該駆動電圧の交流化を図ることが行われている。
【０００５】
この中で、(b) の縦ライン反転方式、すなわち共通電極の電位を固定し縦１ラインごとにデ−タ電極の駆動電圧の極性を逆にし、さらにはこの逆にする関係をフレームごとに反転する方式（図７参照）が低電力化に有効である。
【０００６】
また、現在のＴＦＴ−ＬＣＤ（Thin Film Transistorを用いたマトリックス形式の液晶表示装置）の駆動用ＩＣパッケージとしては、
・ＣＯＦ（Chip On Film）
・ＣＯＧ（Chip On Glass)
などが用いられ、材質やコストの点ではフィルムを用いない後者の方が有利である。
【０００７】
ここで、パッケージ自体を曲げることができるＣＯＦの場合にはその一部（縁部）がＴＦＴ基板に取り付けられ、パッケージ自体を曲げることができないＣＯＦの場合にはその全体がＴＦＴ基板に取り付けられることになる。
【０００８】
このとき、図８(a) に示すように、ＣＯＦ形式の駆動用ＩＣパッケージではＴＦＴ基板60の上方縁部分に上データドライバ61を、下方縁部分に下データドライバ62をそれぞれ設けた両側駆動方式を用いることが多く、前者は奇数番目の縦ラインを、後者は偶数番目の縦ラインをそれぞれ分担している。
【０００９】
また、図８(b) に示すように、ＣＯＧ形式の駆動用ＩＣパッケージではＴＦＴ基板60′の上方縁部分および下方縁部分のいずれか一方に片側データドライバ63を設けた片側駆動方式を用いること用いることが多く、これにより当該ＴＦＴ基板60′のサイズをＣＯＦ形式の駆動用ＩＣパッケージのそれと同じにしている。なお、いずれの形式の駆動用ＩＣパッケージの場合にもスキャンドライバ64は横ライン選択用の信号を出力している。
【００１０】
図９は、ＣＯＦ・縦ライン反転方式の場合の、それぞれ２階調の上データドライバ61および下データドライバ62で設定される各駆動電圧の共通電極に対する極性を示すもので、任意の時点において一方のデ−タドライバは正極性の駆動電圧を、他方のデ−タドライバは負極性の駆動電圧をそれぞれ出力しており、これによって各データ電極の駆動電圧の交流化が確保される。また、各データドライバが担当の極性はフレーム周波数で切り換えられている。
【００１１】
すなわち、「表示用画像信号（アナログ信号）」→「画素単位のディジタルデ−タ」→「当該ディジタルデ−タに対応の駆動電圧Ｖ１，Ｖ２」といった一連の流れにおけるディジタルデ−タ作成の際には、アナログ画像信号の階調に応じたディジタル化を行うだけでよく、前記交流化のための処理は不要である。
【００１２】
ここで、例えば黒レベルの画像信号が続くいわゆるベタ表示の場合、あるフレームでは奇数番目の縦ラインのデータ電極に負極性の駆動電圧Ｖ１が、偶数番目の縦ラインのデータ電極に正極性の駆動電圧Ｖ２がそれぞれ供給され、また、次のフレームでは奇数番目の縦ラインのデータ電極に正極性の駆動電圧Ｖ２が、偶数番目の縦ラインのデータ電極に負極性の駆動電圧Ｖ１がそれぞれ供給されることになる。
【００１３】
図10は、ＣＯＧ・縦ライン反転方式（片側駆動方式）の場合の、片側データドライバ63で設定される駆動電圧の共通電極に対する極性、およびディジタルデ−タ作成段階での交流化処理の様子を示している。
【００１４】
ここで、片側データドライバ63は、例えば黒レベルの画像信号に対して任意のフレームの奇数番目の縦ラインのデータ電極には負極性の駆動電圧Ｖ１を、偶数番目の縦ラインのデータ電極には正極性の駆動電圧Ｖ４をそれぞれ供給することになり、このときの表示用画像信号（アナログ信号）からディジタルデ−タへの変換の際は負極性の黒レベルを示す「００」と正極性の黒レベルを示す「１１」とが画素単位で交互に作成される。
【００１５】
すなわち、図示のように、任意のｍ画素に対しては負極性の駆動電圧Ｖ１を設定するためのディジタルデ−タ「００」が、これに続く（ｍ＋１）画素に対しては正極性の駆動電圧Ｖ4 を設定するためのディジタルデ−タ「１１」がそれぞれ作成され、この作成関係は次のフレームでは逆となる。また、白レベルの画像信号に対しても同じようにディジタルデ−タ「０１」と「１０」とが画素単位で交互に作成され、このような内容のディジタル化によって各データ電極の駆動電圧を交流化している。
【００１６】
なお、ディジタルデ−タはその最上位ビットで正負の極性を、下位ビットで表示用画像信号の階調をそれぞれ特定しており、実用的にはこの下位ビットとして例えば３ビットが用いられている。
【００１７】
【発明が解決しようとする課題】
このように、従来の、材質やコストの点で有利なＣＯＧ形式の駆動用ＩＣパッケージを用いた片側駆動方式では、表示用画像信号の階調を示すディジタルデ−タを作成する際に、後で当該ディジタルデ−タによって対応データ電極ごとに設定される駆動電圧の共通電極に対する極性も取り込むかたちで特定しているため、ディジタルデ−タのトグル周波数が高くなってデ−タドライバのディジタルデ−タ入力部のバッファの反転による電流が増え、デ−タドライバユニットの消費電力が増加するという問題点があった。
【００１８】
特に、ベタ表示の場合には前記ディジタルデ−タの各ビットが画素単位で反転してそのトグル周波数が最大（クロック周波数の1/2 で例えば12.5MHz ）となり、デ−タドライバユニットの消費電力の増加が顕著である。
【００１９】
そこで、本発明では、表示用画像信号をその階調に応じたディジタルデ−タに変換する段階では対応データ電極の駆動電圧の共通電極に対する極性を考慮せずに、すなわち当該極性については正負いずれかの任意の状態に固定したままでディジタルデ−タ入力部に先ず入力し、その後、駆動電圧の交流化のための所定のデ−タ変換を行うことにより、ディジタルデ−タのトグル周波数を低くしてデ−タドライバユニットの低電力化を図ることを目的とする。
【００２０】
また、片側駆動モードと両側駆動モードとを切り変えるためのモード信号に基づいてデ−タ変換を前者でのみ選択的に行うようにすること、さらにはディジタルデータと駆動電圧との対応関係や、任意のディジタルデータによって設定される駆動電圧自体を必要に応じて変更できるようにすることにより液晶表示装置の性能向上を図ることを目的とする。
【００２１】
【課題を解決するための手段】
図１は、本発明の原理説明図である。
１は、液晶表示部であり、例えばマトリックス状に配置されたデータ電極２とこれらの共通電極などからなっている。
２は、データ電極であり、デ−タドライバ３で設定された駆動電圧がＴＦＴなどを介して加えられている。
３は、デ−タドライバであり、ここのバッファ部に入力されるディジタルデ−タは前述のように駆動電圧の極性を考慮していないものであって、Ａグループ（例えば奇数番目の縦ラインの画素に対応）のディジタルデ−タについてはこのデータで駆動電圧を特定し、またＢグループ（例えば偶数番目の縦ラインの画素に対応）のディジタルデ−タについてはデ−タ変換を行った後の新ディジタルデータで駆動電圧を特定し、それぞれをデータ電極２に送っている。
４は、スキャナドライバであり、特定の横１ライン分をの画素を選択するための信号を出力している。
【００２２】
ここで、デ−タドライバ３は、例えばディジタルデ−タ「００（黒レベル）」が続く場合、
・Ａグループに対してはこの「００」に相当の駆動電圧Ｖ１を設定し、
・Ｂグループに対してはこの「００」を「１１」のディジタルデ−タに変換してこれに相当の駆動電圧Ｖ４を設定する。
【００２３】
また、このような駆動電圧を設定するための駆動回路として、表示用画像信号に対応のディジタルデータを保持するラッチ部と、このラッチ部の保持データに基づいて当該表示用画像信号に対応する電極駆動用の基準電圧を選択するスイッチ部と、前記ディジタルデータの中で特定のものに対してビット反転処理を行うビット反転処理部などを備えたもの（図３参照）を用いている。
【００２４】
【作用】
本発明は、このように、デ−タドライバのバッファに入力されるディジタルデ−タについては対応データ電極の駆動電圧の共通電極に対する極性を考慮せずに、トグル周波数の低いものとし、その後の特定グループのディジタルデ−タに対するデ−タ変換によって駆動電圧の交流化を図ることにより、バッファの低電力化に適した液晶表示装置の駆動回路を構成している。
【００２５】
そして、本発明をＣＯＧ・縦ライン反転方式（片側駆動方式）に適用した場合のデ−タ変換および駆動電圧の設定は図２のようになっている。
なお、バッファに入力されるディジタルデ−タは負極性の「００」および「０１」、または正極性の「１０」および「１１」のいずれかの組が用いられる。
【００２６】
例えば負極性のビットデータで入力されたときには、任意のｍ画素では黒レベルの「００」および白レベルの「０１」の各ディジタルデ−タに対応の駆動電圧Ｖ１およびＶ２が設定される。
【００２７】
そして，次の（ｍ＋１）画素では、
・「００」→「１１」
・「０１」→「１０」
のデータ変換が先ず行われ、続いてこの変換後の新ディジタルデ−タに対応の駆動電圧Ｖ４およびＶ３がそれぞれ設定される。
【００２８】
また、以上のデ−タ変換および駆動電圧の設定はフレーム単位で行われており、次のフレームではｍ画素にデ−タ変換が実行されて新ディジタルデータに対応の駆動電圧Ｖ４およびＶ３が選択され、（ｍ＋１）画素ではデ−タ変換が実行されずにそのときのディジタルデ−タに対応の駆動電圧Ｖ１およびＶ２が設定される。
【００２９】
なお、次のフレームではディジタルデータと駆動電圧との対応関係を、
・「００」→Ｖ４
・「０１」→Ｖ３
・「１０」→Ｖ２
・「１１」→Ｖ１
のように変更すれば、（ｍ＋１）画素に対してデ−タ変換を実行するといったルールを継続することができる。
【００３０】
以上の説明ではディジタルデ−タを上位の極性表示用の１ビットと下位の階調表示用の１ビットとからなる２ビットにしているが、このディジタルデ−タを何ビットにするかは任意である。
【００３１】
また、デ−タドライバのバッファに入力されるディジタルデ−タ、すなわち対応データ電極の駆動電圧の共通電極に対する極性まで考慮していないディジタルデ−タの作成主体は、デ−タドライバの外部に限定されることなく、入力された表示用画像信号に対してデ−タドライバ側で実行するようにしてもよい。
【００３２】
また、本発明は、このようにトグル周波数の低いディジタルデ−タをバッファに先ず入力し、その後、駆動電圧の交流化のための所定のデ−タ変換を行ってから対応の駆動電圧を設定するようにしたもので、縦ライン反転方式の場合に限定されるものではない。
【００３３】
また、ディジタルデータと駆動電圧との対応関係を変更するタイミングとしては、フレーム周期の整数倍や水平ライン周期の整数倍などの特定の周期や外部からの制御信号に基づくものでもよい。
【００３４】
また、この対応関係や、各ディジタルデータに対応する駆動電圧の値を制御信号で選択的に変更することにより液晶パネル上の輝度ムラや色度ムラなどを補正することができる。
【００３５】
【実施例】
図３〜図６を参照して本発明の実施例を説明する。
なお、以下の実施例では、説明の便宜上、図１と同様の２ビットのディジタルデ−タおよび縦ライン反転方式（片側駆動方式）を前提にしている。
【００３６】
図３は、本発明のデ−タドライバの概要を示す説明図であり、
11はディジタルデ−タと選択される駆動電圧との対応関係を特定する制御部、
12はシフトレジスタ、
13はシフトレジスタ12のシフトパルスに同期して入力ディジタルデ−タ（Ｄ０，Ｄ１の２ビット）を順次ラッチする第１のラッチ群、
14はロード信号ＬＯＡＤに同期して第１のラッチ群13の保持デ−タ（ＬＤＴ１〜ＬＤＴＭ）をラッチする第２のラッチ群、
15は第２のラッチ群14の保持デ−タをデコード処理するデコーダ群、
16はデコーダ群15の出力に基づいて基準電圧Ｖ１〜ＶＮの中から対応する各電圧を選択して出力端ＯＵＴ１〜ＯＵＴＭに出力するためのアナログスイッチをそれぞれ示している。
【００３７】
また、ここでは次の各種信号が用いられている。
Ｖ１〜ＶＮ・・基準電圧
Ｄ０，Ｄ１・・駆動電圧の極性を考慮していない入力ディジタルデ−タ
ＳＴＡＲＴ・・１水平ライン分の入力ディジタルデ−タの取り込み開始信号
ＣＬＫ    ・・入力ディジタルデ−タのクロック信号
ＬＯＡＤ  ・・第２のラッチ群14に対するロード信号
ＣＯＮＴ  ・・制御部11の入力信号
ＬＤＴ１  ・・第１のラッチ群13に保持される、所定のデ−タ変換後（ビット〜ＬＤＴＭ    反転後）の新ディジタルデ−タ
ＯＵＴ１  ・・液晶パネルの各デ−タ電極に対する駆動電圧
〜ＯＵＴＭ
【００３８】
図４は、図３のデ−タドライバのタイムチャートを示すもので、「Ｍ（１水平ラインのデ−タ電極数）＝４，Ｎ（駆動電圧数）＝４」を前提としている。なお、実際の液晶パネルの場合には例えば「Ｍ＝1920」となる。
【００３９】
先ず、クロック信号ＣＬＫの立ち下がりエッジのタイミングで発生するシフトレジスタ12のシフトパルスによって入力ディジタルデ−タ（Ｄ０，Ｄ１）が第１のラッチ群13にＬＤＴ１〜ＬＤＴ４としてラッチされる。このとき、ＬＤＴ２とＬＤＴ４については元の入力ディジタルデ−タの各ビットを反転したかたちでラッチされる。
【００４０】
次に、これらのＬＤＴ１〜ＬＤＴ４の新ディジタルデ−タはロード信号ＬＯＡＤに同期して第２のラッチ群14にラッチされ、続いてデコーダ群15によってデコードされる。
【００４１】
次に、このデコード出力に基づいてアナログスイッチ16が動作し、第２のラッチ群14にラッチされていたＬＤＴ１〜ＬＤＴ４のそれぞれに対応する基準電圧Ｖ１〜ＶＮが液晶パネルの例えば１水平ライン分の各デ−タ電極に対する駆動電圧ＯＵＴ１〜ＯＵＴ４として選択されることになる。
【００４２】
その後のＳＴＡＲＴ信号によって同じ動作が順に繰り返されることになり、
・ロード信号21の後の周期ｔ1 では
「ＯＵＴ１＝Ｖ１，ＯＵＴ２＝Ｖ４，ＯＵＴ３＝Ｖ２，ＯＵＴ４＝Ｖ３」
・ロード信号22の後の周期ｔ2 では
「ＯＵＴ１＝Ｖ２，ＯＵＴ２＝Ｖ４，ＯＵＴ３＝Ｖ２，ＯＵＴ４＝Ｖ４」
・ロード信号23の後の周期ｔ3 では
「ＯＵＴ１＝Ｖ１，ＯＵＴ２＝Ｖ３，ＯＵＴ３＝Ｖ１，ＯＵＴ４＝Ｖ３」
といった駆動電圧がそれぞれ設定されている。なお、ＶＣは共通電極の電圧に相当する。
【００４３】
このように、同じディジタルデ−タ（例えば「００」）に対して、内部での対応を切り換えることにより駆動電圧ＯＵＴ１〜ＯＵＴ４を縦１ラインごとに逆特性にすることができ、入力ディジタルデ−タ（Ｄ０，Ｄ１）のトグル周波数を低く抑えた状態での駆動電圧の交流化が可能となる。
【００４４】
図５は、片側駆動モードと両側駆動モードとを選択できるようにした実施例を示しており、モード選択用信号ＭＯＤＥと入力ディジタルデ−タＤ０とが入力される排他的論理和ゲート31およびモード選択用信号ＭＯＤＥと入力ディジタルデ−タＤ１とが入力される排他的論理和ゲート32以外の部分は図３および図４と同様の構成となっている。
【００４５】
ここで、各ラッチは２ビット構成となっており、第１のラッチ群13ー１〜13ー４はシフトレジスタ12のシフトパルスの立ち下がりエッジのタイミングで、第２のラッチ群14ー１〜14ー４はロード信号ＬＯＡＤの立ち上がりエッジのタイミングでそれぞれの入力デ−タを取り込んでいる。
【００４６】
また、デコーダ群15ー１〜15ー４のそれぞれには対応する第２のラッチ群14ー１〜14ー４のラッチデ−タが入力され、各ラッチの出力Ｅ１〜Ｅ４のいずれか１つがこの入力デ−タに応じてハイレベルとなる。
【００４７】
また、アナログスイッチ群16ー１〜16ー４のそれぞれを構成する４個のスイッチ要素の中で、このハイレベル信号がイネイブル端子ＥＮに入力されるスイッチ要素の入力端子ＩＮと出力端子ＯＵＴの間が導通状態となり、当該入力端子に加えられている基準電圧Ｖ１〜Ｖ４がデ−タ電極の駆動電圧ＯＵＴ１〜ＯＵＴ４として取り出される。
【００４８】
そして、奇数番目の縦ラインに相当する第１のラッチ13ー１および13ー３には入力ディジタルデ−タＤ０，Ｄ１がそのまま入力され、偶数番目の縦ラインに相当する第１のラッチ群13ー２および13ー４には排他的論理和ゲート31および32の出力デ−タが入力されている。
【００４９】
これらの排他的論理和ゲート31および32は、モード選択用信号ＭＯＤＥが両側駆動用の「Ｌ」のときには入力ディジタルデ−タＤ０，Ｄ１と同じ極性のデ−タを、またモード選択用信号ＭＯＤＥが片側駆動用の「Ｈ」のときには入力ディジタルデ−タＤ０，Ｄ１と逆の極性のデ−タをそれぞれ出力して第１のラッチ13ー２および13ー４に入力する。
【００５０】
したがって、同じ入力ディジタルデ−タに対し、両側駆動モードではＯＵＴ１〜ＯＵＴ４のそれぞれに同じ極性の基準電位（例えば入力ディジタルデ−タ「００」に対しては基準電位Ｖ１）が選択され、片側駆動モードではＯＵＴ１，ＯＵＴ３とＯＵＴ２，ＯＵＴ４とで逆の極性の基準電位（例えば入力デ−タ「００」に対してＯＵＴ１，ＯＵＴ３にはＶ１、ＯＵＴ２，ＯＵＴ４にはＶ４）が選択される。なお、この両側駆動モードでは図示のデ−タドライバが両側駆動用のデ−タドライバの一つとして用いられる。
【００５１】
図６は、片側駆動に限定した場合の実施例であり、図５の実施例とは主に
・アナログスイッチ群46ー１〜46ー４それぞれのスイッチ要素を２個として各アナログスイッチの入力端子ＩＮを、デ−タ電極の極性ごとに新たに設けたアナログスイッチ51,52 の対応する方に接続したこと
・アナログスイッチ51,52 の４つのスイッチ要素の各入力端子ＩＮには基準電圧Ｖ１〜Ｖ４を１対１の対応で接続し、また各イネイブル端子ＥＮには交流化信号Ｍまたはこれのインバータ53を介した反転信号を入力したこと
・第１のラッチ群43ー１〜43ー４は、入力ディジタルデ−タの中の階調表示ビットＤ０のみをラッチし、出力端子の選択によりラッチ43ー２およびラッチ43ー４でのビット反転を実行していること
・第２のラッチ群44ー１〜44ー４は、階調表示ビットＤ０またはこれの反転ビットのいずれかをラッチし、この入力データとその反転ビットの両者をアナログスイッチ群46ー１〜46ー４の対応するアナログスイッチのイネイブル端子ＥＮに対し出力していること
・デコーダ群15ー１〜15ー４や排他的論理和ゲート31，32を省略したこと
の点で相違している。
【００５２】
ここで、例えば交流化信号Ｍが「Ｌ」の単位期間ではアナログスイッチ51の♯１と♯２のスイッチ要素とアナログスイッチ52の♯３と♯４のスイッチ要素とが導通状態となり、アナログスイッチ46ー２にはＶ１およびＶ２の負極性グループが、アナログスイッチ46ー３にはＶ３およびＶ４の正極性グループがそれぞれ割り当てられる。
【００５３】
そして、アナログスイッチ46ー２および46ー３はそれぞれ第２のラッチ44ー２および44ー３の出力側に得られる「Ｈ」, 「Ｌ」の中の前者が入力される方のスイッチ要素が導通状態となって、基準電圧Ｖ１〜Ｖ４のいずれか一つが駆動電圧ＯＵＴ２およびＯＵＴ３として取り出されることになる。
【００５４】
例えば、入力ディジタルデ−タ（ビットＤ０）が「０」の場合、第１のラッチ43ー２の出力レベルは「Ｈ」、第１のラッチ43ー３の出力レベルは「Ｌ」となってアナログスイッチ46ー２のスイッチ要素♯１とアナログスイッチ46ー３のスイッチ要素♯２とが導通するため、駆動電圧ＯＵＴ２として基準電圧Ｖ１が、駆動電圧ＯＵＴ３として基準電圧Ｖ４がそれぞれ選択される。
【００５５】
以上の説明ではモノクロ表示を前提としているが、Ｒ，Ｇ，Ｂの各色信号に対応させた３種類の入力ディジタルデ−タを用意することによって本発明をカラー表示にも適用できることは勿論であり、例えば図６の片側駆動の場合、３ビットおきの３グループの入力ディジタルデ−タを各色信号に対応させればよい。
【００５６】
【発明の効果】
本発明は、データドライバの入力部に加えられる入力ディジタルデ−タを作成する際には対応するデ−タ電極の駆動電圧の極性を考慮せずにそのトグル周波数が低いものとし、データドライバ内部でのビット反転処理を行うことにより当該極性を持たせるようにしているため、ディジタルデ−タ入力部のバッファの反転にともなう電流増加の頻度が従来のデータドライバよりも減少して消費電力の低減化を図ることができる。
【００５７】
また、片側駆動モードと両側駆動モードとを切り変えるためのモード信号に基づいてデ−タ変換を前者でのみ選択的に行うようにし、さらにはディジタルデータと駆動電圧との対応関係や、任意のディジタルデータによって設定される駆動電圧自体を必要に応じて変更できるようにしているため、液晶表示装置の利用効率を高め、また液晶パネル上の輝度ムラや色度ムラを補正するなどして液晶表示装置の性能を向上させることができる。
【図面の簡単な説明】
【図１】本発明の、原理説明図である。
【図２】本発明の、駆動電圧の交流化のためのデ−タ変換を示す説明図である。
【図３】本発明の、デ−タドライバの概要を示す説明図である。
【図４】図３のデ−タドライバにおけるタイムチャートを示す説明図である。
【図５】本発明の、片側駆動モードと両側駆動モードとを選択できるようにしたデ−タドライバを示す説明図である。
【図６】本発明の、片側駆動モードに限定したデ−タドライバを示す説明図である。
【図７】一般的な、各デ−タ電極に加えられる駆動電圧の交流化などを示す説明図である。
【図８】一般的な、デ−タ電極の駆動方法を示す説明図である。
【図９】一般的な、両側駆動の場合の各駆動電圧の極性を示す説明図である。
【図１０】一般的な、片側駆動の場合の各駆動電圧の極性および駆動電圧の交流化を示す説明図である。
【符号の説明】
図１において、
１・・・液晶表示部
２・・・デ−タ電極
３・・・デ−タドライバ
４・・・スキャナドライバ
【図１】
0003669514.tif 000002
【図２】
0003669514.tif 000003
【図３】
0003669514.tif 000004
【図４】
0003669514.tif 000005
【図５】
0003669514.tif 000006
【図６】
0003669514.tif 000007
【図７】
0003669514.tif 000008
【図８】
0003669514.tif 000009
【図９】
0003669514.tif 000010
【図１０】
0003669514.tif 000011